(57)【特許請求の範囲】
【請求項１】
ヘアスタイリング装置であって：
ハンドル装置に接続されているとともに、使用時に前記ハンドル装置に対して静止している被加熱バレルであって、ヘアスタイリング面を画定する被加熱バレル；及び
前記ヘアスタイリング面の端に配置されている回転部材であって、前記ヘアスタイリング面に対して回転するとともに、ユーザの髪を集めて前記ヘアスタイリング面の周りに巻き付けるように構成されている回転部材を備え、
前記回転部材はタブを有し、前記タブは、巻き付けられた髪を前記ヘアスタイリング面に対しクランプすることなく捕捉するように、前記回転部材の第１の端部から固定された状態で前記ヘアスタイリング面に沿って長手方向に延びている、ヘアスタイリング装置。
【請求項２】
前記被加熱バレル及び前記ヘアスタイリング面のうちの少なくとも一方を加熱するように構成されている加熱素子を更に備える、請求項１に記載のヘアスタイリング装置。
【請求項３】
前記回転部材は前記ハンドル装置に対して回転する、請求項１に記載のヘアスタイリング装置。
【請求項４】
前記回転部材は、前記回転部材の第２の端部から延びる円筒形のセクションを含む、請求項１に記載のヘアスタイリング装置。
【請求項５】
前記回転部材は、前記髪をつかんで保持するように構成されている１つ又は複数の保持要素を含む、請求項１に記載のヘアスタイリング装置。
【請求項６】
前記保持要素は前記回転部材から延びる突起を含む、請求項５に記載のヘアスタイリング装置。
【請求項７】
前記突起は、前記回転部材の外周領域から延びる、請求項６に記載のヘアスタイリング装置。
【請求項８】
前記保持要素は、前記回転部材内に画定されている凹部を含む、請求項５に記載のヘアスタイリング装置。
【請求項９】
前記凹部の中心軸は、前記回転部材の外周面から或る間隔だけ径方向内方に離間している、請求項８に記載のヘアスタイリング装置。
【請求項１０】
前記凹部は、前記凹部内に延びる１つ又は複数の取り込み部分を含む、請求項８に記載のヘアスタイリング装置。
【請求項１１】
前記ヘアスタイリング面は前記ヘアスタイリング装置の自由端に配置される、請求項１に記載のヘアスタイリング装置。
【請求項１２】
前記回転部材が配置されている前記スタイリング面の前記端は、前記ヘアスタイリング装置の前記自由端の反対側にある、請求項１１に記載のヘアスタイリング装置。
【請求項１３】
ヘアスタイリング装置であって、
ハンドル装置に連結されているとともに、使用時に前記ハンドル装置に対して静止している被加熱バレルであって、ヘアスタイリング面を画定する被加熱バレルと、
前記ヘアスタイリング面の端に配置されるとともに前記ヘアスタイリング面に対して回転するように構成されている回転部材であって、
前記回転部材の外周領域に配置されるとともに前記ヘアスタイリング面から第１の径方向間隔だけ離間している１つ又は複数の髪保持要素であって、ユーザの髪を集めて前記被加熱バレルの前記ヘアスタイリング面の周りに巻き付けるように構成されている、１つ又は複数の髪保持要素、及び
前記回転部材の第１の端部から固定された状態で前記ヘアスタイリング面に沿って長手方向に延びるとともに前記ヘアスタイリング面から第２の径方向間隔だけ離間しているタブ要素であって、巻き付けられた髪を前記ヘアスタイリング面に対しクランプすることなく捕捉するように構成されているタブ要素
を含む回転部材と
を備えるヘアスタイリング装置。
【請求項１４】
前記第１の径方向間隔は前記第２の径方向間隔よりも大きい、請求項１３に記載のヘアスタイリング装置。
【請求項１５】
前記回転部材は、前記回転部材の前記第１の端部とは反対の第２の端部から延びる円筒形の部分を更に含む、請求項１３に記載のヘアスタイリング装置。
【請求項１６】
前記円筒形の部分は、前記第１の端部から離れる方向に延びる軸に沿って幅が縮小するテーパ形状を含む、請求項１５に記載のヘアスタイリング装置。
【請求項１７】
前記髪保持要素のうちの１つ又は複数は、前記被加熱バレルの長手方向軸に対して前記ヘアスタイリング面から長手方向に離間している、請求項１３に記載のヘアスタイリング装置。
【請求項１８】
前記髪保持要素は、前記回転部材から延びる突起を含む、請求項１３に記載のヘアスタイリング装置。
【請求項１９】
前記髪保持要素は、前記回転部材内に画定されている半円形の凹部を含む、請求項１３に記載のヘアスタイリング装置。
【請求項２０】
前記半円形の凹部は、円の半分以上の形状の凹部を含む、請求項１９に記載のヘアスタイリング装置。
【請求項２１】
前記凹部は、前記凹部内に延びる１つ又は複数の取り込み部分を含む、請求項１９に記載のヘアスタイリング装置。
【請求項２２】
方法であって：
ヘアスタイリング装置のヘアスタイリング面の自由端をユーザの頭に近接して位置決めする工程；
ユーザの頭につながっている髪を、前記ヘアスタイリング面の、前記自由端とは反対の端において前記ヘアスタイリング装置の回転部材内に保持する工程；及び
保持されている髪を前記ヘアスタイリング面の周りに巻き付けて髪にカールを与える工程
を含み、
前記回転部材は、巻き付けられた髪を前記ヘアスタイリング面に対しクランプすることなく捕捉するように、前記回転部材の第１の端部から固定された状態で前記ヘアスタイリング面に沿って長手方向に延びるタブを有する、
方法。
【請求項２３】
保持されている髪を巻き付けることは、前記回転部材を前記ヘアスタイリング面に対して回転させることを含む、請求項２２に記載の方法。
【請求項２４】
前記回転部材が回転すると髪が自動的に保持される、請求項２３に記載の方法。
【請求項２５】
前記回転部材に沿って形成された１つ又は複数の保持要素内に髪が保持される、請求項２２に記載の方法。
【請求項２６】
前記回転部材から延びるタブを用いて、前記自由端とは反対の前記端において前記ヘアスタイリング面に対して髪の幾らか又は全てを押圧することを更に含む、請求項２２に記載の方法。
【請求項２７】
髪が前記ヘアスタイリング面の周りに巻き付けられると、髪の自由端領域が前記回転部材の１つ又は複数の領域を通って前記ヘアスタイリング面上に引き込まれる、請求項２２に記載の方法。
【請求項２８】
前記１つ又は複数の保持要素は、前記回転部材内に画定されている凹部を含む、請求項２５に記載の方法。
【請求項２９】
前記ユーザの頭に近接する髪の領域を最初に前記ヘアスタイリング面の周りに巻き付け、髪の自由端の長さは、髪が前記ヘアスタイリング面の周りに巻き付けられるにつれて減少する、請求項２２に記載の方法。
【発明の詳細な説明】
【技術分野】
【０００１】
本開示は、包括的にはヘアスタイリング装置に関し、より具体的には、ヘアカール装置、並びに関連するシステム及び方法に関する。
【背景技術】
【０００２】
加熱されたスタイリングアイロン（例えばカールアイロン）は、自然には生じないカールを与えるように髪をカールさせるか、又は、縮れ若しくはカールをなくすように髪を真っ直ぐにするといった、髪を多様なスタイルに形成するために用いられる。例えば、加熱された円筒形状のカールアイロンの先端部の外面の周りに髪を巻き付けることによって円形又は半円形のカールを形成することができる。
【０００３】
従来のカールアイロンは、クランプ部材を有する円筒形のカールマンドレルを含み、クランプ部材は、マンドレルの一部の周囲にフィットする。使用時に、カールマンドレルを加熱することができ、髪の毛は、クランプ部材によってマンドレルに対してクランプされる。マンドレルを回転させ、クランプされた髪をマンドレルの周りに巻き付けることによって髪をカールさせることができる。マンドレルに適用される熱は、髪をカールさせるように髪の質感を変えることができる。所定の時間後、クランプ部材はマンドレルから離され、カールされた髪がほぐされる。幾つかの従来の装置は、電動式の被加熱マンドレルを含み、電動式の被加熱マンドレルは、電気モータを用いてマンドレルの周りに髪を巻き付けるように回転することができる。
【先行技術文献】
【特許文献】
【０００４】
【特許文献１】米国特許第４０２４３７５号明細書
【発明の概要】
【発明が解決しようとする課題】
【０００５】
本発明によれば、従来の電動カールアイロンよりも使用しやすいヘアスタイリング装置が提供される。
【課題を解決するための手段】
【０００６】
幾つかの態様では、ヘアスタイリング装置（例えばヘアカール装置）は、ハンドル装置に接続されているとともに、使用時にハンドル装置に対して概ね静止している被加熱バレルであって、ヘアスタイリング面を画定する被加熱バレル；及び、ヘアスタイリング面の端に配置されている回転部材であって、ヘアスタイリング面に対して回転するとともに、ユーザの髪を集めて髪をヘアスタイリング面の周りに巻き付けるように構成されている回転部材を含むことができる。
【０００７】
幾つかの態様では、ヘアスタイリング装置（例えばヘアカール装置）は、ハンドル装置に連結されているとともに、使用時にハンドル装置に対して概ね静止している被加熱バレルであって、ヘアスタイリング面を画定する被加熱バレルと、ヘアスタイリング面の端に配置されるとともにヘアスタイリング面に対して回転するように構成されている回転部材であって、回転部材の外周領域に配置されるとともにヘアスタイリング面から第１の径方向間隔だけ離間している、１つ又は複数の髪保持要素であって、ユーザの髪を集めて髪を被加熱バレルのヘアスタイリング面の周りに巻き付けるように構成されている１つ又は複数の髪保持要素、及び、ヘアスタイリング面に沿って回転要素の第１の端部から延びるとともにヘアスタイリング面から第２の径方向間隔だけ離間しているタブ要素であって、髪をヘアスタイリング面に押圧するように構成されているタブ要素を含む回転部材とを含むことができる。
【０００８】
実施形態は以下の特徴の１つ又は複数を含むことができる。
幾つかの実施形態では、バレル及び／又はヘアスタイリング面は、髪を装置の領域内に捕捉するハウジング又は別の包囲体が実質的に存在しない露出された自由端を含むことができる。例えば、バレルは、包囲されないヘアスタイリング面を有する包囲されないバレルであるものとすることができる。
【０００９】
幾つかの実施形態では、ヘアスタイリング装置は、バレル及び／又はヘアスタイリング面を加熱するように構成されている加熱素子を含むことができる。
幾つかの実施形態では、ハンドル装置は、ユーザが把持するように構成されている概ね円筒形の構造とすることができる。
【００１０】
幾つかの実施形態では、回転部材はハンドルに対して回転する。幾つかの実施形態では、回転部材は、回転部材の第１の端部から延びるタブであって、巻き付けられた髪を捕捉するとともにヘアスタイリング面に対して押圧するタブを含む。幾つかの場合、回転部材は、タブとヘアスタイリング面との間で押圧される髪に対して摩擦力を発生させるようにタブの内面に沿って配置されたインサートを含む。幾つかの実施形態では、回転部材は、回転部材の第２の端部から延びる概ね円筒形のセクションを含む。幾つかの場合、概ね円筒形のセクションは、テーパ状の髪支持セクションを含む。
【００１１】
幾つかの実施形態では、回転部材は、髪をつかんで保持するように構成されている１つ又は複数の保持要素を含む。幾つかの例では、保持要素は、ヘアスタイリング面から或る径方向間隔だけ離間している。幾つかの場合、保持要素は、回転部材から延びる突起を含む。幾つかの場合、突起は、回転部材の外周領域から延びる。幾つかの場合、保持要素は、回転部材内に画定されている凹部を含む。例えば、凹部は半円形の凹部を含むことができる。半円形の凹部は、少なくとも円の半分の（例えば円の半分に等しい、円の半分よりも深い、又は円の半分よりも大きい）凹部から形成される凹部を含むことができる。半円形の凹部は、代替的に又は付加的に、円の半分よりも小さい（例えば円の半分よりも浅い）凹部から形成される凹部を含む。幾つかの実施形態では、凹部の中心軸は、回転部材の外周面から或る間隔だけ径方向内方又は外方に離間することができる。幾つかの実施形態では、凹部は、凹部内に延びる１つ又は複数の取り込み部分を含むことができる。幾つかの実施形態では、保持要素は、代替的に又は付加的に、回転部材から延びる突起を含むことができる。
【００１２】
幾つかの実施形態では、ヘアスタイリング面はヘアスタイリング装置の自由端に配置される。幾つかの実施形態では、回転部材が配置されるスタイリング面の端は、ヘアスタイリング装置の自由端の概ね反対側にある。幾つかの場合、自由端は、ユーザの頭の表面付近又は表面に沿って配置されるように構成される。幾つかの例では、髪は、ヘアスタイリング面の、ヘアスタイリング装置の自由端とは反対の端から巻き付けられる。
【００１３】
幾つかの実施形態では、第１の径方向間隔は第２の径方向間隔よりも大きい。
幾つかの実施形態では、回転部材は、回転部材の第１の端部とは反対の第２の端部から延びる概ね円筒形の部分を含むことができる。幾つかの場合、概ね円筒形の部分は、第１の端部から離れるように延びる軸に沿って幅が縮小するテーパ形状を含む。
【００１４】
幾つかの実施形態では、髪保持要素の１つ又は複数は、バレルの長手方向軸に対してヘアスタイリング面から長手方向に離間している。
本明細書において記載されるヘアスタイリング装置を用いて、任意の種々のヘアスタイリング方法を行うことができる。例えば、幾つかの態様では、方法は、ヘアスタイリング装置のヘアスタイリング面の自由端をユーザの頭に近接して位置決めする工程；ユーザの頭につながっている髪を、ヘアスタイリング面の、自由端とは概ね反対の端においてヘアスタイリング装置の回転部材内に保持する工程；及び、保持されている髪をヘアスタイリング面の周りに巻き付けて髪にカールを与える工程を含むことができる。
【００１５】
幾つかの実施形態では、保持されている髪を巻き付けることは、回転部材をヘアスタイリング面に対して回転させることを含むことができる。幾つかの場合、髪は、回転部材が回転すると自動的に保持されることができる。例えば、髪は、回転部材に沿って形成される１つ又は複数の保持要素内に保持されることができる。
【００１６】
幾つかの実施形態では、方法は、髪の幾らか又は全てを、回転部材から延びるタブを用いて、自由端とは反対の端においてヘアスタイリング面に対して押圧することも含む。
幾つかの実施形態では、髪がヘアスタイリング面の周りに巻き付けられると、髪の自由端領域が回転部材の１つ又は複数の領域を通ってヘアスタイリング面上に引き込まれる。例えば、上記１つ又は複数の領域は髪保持要素であるものとすることができる。
【００１７】
幾つかの実施形態では、ユーザの頭に近接する髪の領域を最初にヘアスタイリング面の周りに巻き付け、髪の自由端の長さは、髪がヘアスタイリング面の周りに巻き付けられるにつれて減少する。
【００１８】
幾つかの態様では、本明細書において記載されるヘアカール装置は、従来のカール装置の場合よりも容易に、髪を回転させて概ね静止した被加熱バレルの周りに巻き付け、ユーザの髪をカールさせるように構成されている回転部材を含む。特に、本明細書において記載されるヘアカール装置は、一部には被加熱バレルの周りに髪を巻き付ける回転部材の結果として、バレルの周りに髪を巻き付けるためにユーザの手を大きく捻るか又は回転させることを必要とすることなく髪を自動的にカールさせることができる。ヘアカール装置が動作する自動化された方法は、ユーザに必要とされる労力を減らすことができ、ヘアカール装置を使用しやすくする。
【００１９】
付加的に、幾つかの実施形態では、本明細書において記載されるヘアカール装置は、ユーザの髪を不所望に引っ張ることによってユーザに不快感を与えるか又はユーザを負傷させる可能性がある、髪が回転部材に詰まるか又は引っ掛かる可能性を低減することによって、他のタイプの半自動カールアイロン（例えば回転する被加熱マンドレルを有するカールアイロン）よりも容易に使用することができる。特に、回転する被加熱マンドレルを有するカールアイロンは、場合によっては、髪が回転マンドレルに詰まってしまう可能性がある。その結果、髪がマンドレルの周りにきつく巻き付けられ過ぎてユーザの頭皮を引っ張る可能性がある。
【００２０】
さらに、幾つかの従来の回転する被加熱マンドレルを有するカールアイロンは、髪を頭皮から引っ張り得る力を制限するためのクラッチ装置を使用する（又は更には必要とする）。しかし、後述するように、幾つかの実施形態では、本明細書において記載されるヘアカール装置は、少なくとも一部には、回転して概ね静止した被加熱バレルの周りに髪を巻き付ける回転部材を有する本明細書において記載される構成の結果、クラッチ又は回転力制限装置の必要性を低減する（幾つかの場合では排除する）ことができる。そのような構成はクラッチ装置を必要とせず、したがって、より少ない構成部材しか必要としない結果として構成の複雑さを抑えて、幾つかの実施形態では低コストで製造することができる。また、従来のカールアイロンのクラッチ装置は、劣化するか又は機能しなくなる可能性があり、ユーザに不快感を与える可能性がある。したがって、通常はクラッチ装置を必要としない、本明細書において記載されるヘアカール装置は、幾つかの従来の電動カールアイロンよりも使い心地が良く、使用するのにより安全であるものとすることができる。
【００２１】
同様に、幾つかの場合、ハウジング又は包囲体のないヘアスタイリング面を画定する被加熱バレルを含む、本明細書において記載されるようなヘアスタイリング装置は、髪が過って装置内に捕捉されるか又は過度に巻き付けられるのを制限することができる。すなわち、自由な露出したバレル及びスタイリング面は、本明細書において記載されるヘアスタイリング装置の使用を、より容易に（例えばより安全に）し、幾つかの場合、髪が使用中に捕捉されて引っ掛かる可能性があるエリア又は領域を減らすことによってより効果を高めることができる。さらに、幾つかの実施形態では、回転部材、特に回転部材の保持要素を、ヘアスタイリング面の端においてバレルに沿って位置決めすること（すなわちスタイリング面に沿う他の箇所に配置するのではなく）は、髪が、スタイリング装置の周り、例えばヘアスタイリング面と回転部材との間に過って捕捉されるか又は過度に巻き付けられるのを制限することにも役立つ。
【図面の簡単な説明】
【００２２】
【図１】静止した被加熱バレルの周りで髪をカールさせる回転部材を有する例示的なヘアカール装置の側面図である。
【図２】図１のヘアカール装置の斜視図である。
【図３】凹部状の髪保持要素、及び、髪保持要素と被加熱バレルとの間の径方向間隔を示す、図１のヘアカール装置の正面図である。
【図４】髪保持要素を示す、図１の回転部材の拡大図である。
【図５】髪をつかみ、静止した被加熱バレルの周りでカールさせる突起状の髪保持要素を有する回転部材を有する別の例示的なヘアカール装置の斜視図である。
【図６】図５のヘアカール装置の側面図である。
【図７】突起状要素の長さを示す、図５のヘアカール装置の正面図である。
【図８】回転部材を駆動する内部構成部材を示す、図５のヘアカール装置の側断面図である。
【図９】図５のヘアカール装置の分解斜視図である。
【図１０】（Ａ）〜（Ｃ）は、例示的なヘアカール装置を使用して行うヘアカール方法を示す連続的な図である。
【図１１】（Ａ）及び（Ｂ）は、髪をヘアカール装置によって集めてカールさせる方法を例示するヘアカール装置を使用して行うヘアカール方法を示す連続的な図である。
【発明を実施するための形態】
【００２３】
回転して髪を概ね静止した被加熱バレルの周りに巻き付けるように構成されている回転部材を含むヘアカール装置を用いて、幾つかの他の従来のカール装置を用いるよりも容易にユーザの髪をカールさせることができる。
【００２４】
幾つかの実施形態では、図１〜図４を参照すると、ヘアスタイリング（例えばカール）装置１００は、ハウジング（例えばハンドル）１０４に連結されている被加熱バレル（例えば概ね円筒形のバレル）１０２を含むことができる。バレル１０２は、通常はハンドル１０４に対して回転しない（例えばハンドル１０４に回転不能に連結されている）ヘアスタイリング面を画定し、髪を周りに巻き付けてカールを形成するように加熱することができる装置を提供する。バレル１０２は通常、ヘアスタイリング面等のバレル１０２の少なくとも一部を加熱してユーザの髪をカールさせるように構成されている加熱素子（例えばセラミック加熱素子）１０３を含む。熱選択スイッチ１１８をハンドルに沿って配置することができ、熱選択スイッチ１１８は、ユーザが、高温設定及び低温設定等の幾つかの異なる熱設定のうちの１つを選択することを可能にするように構成されている。
【００２５】
バレル１０２は通常、セラミック材料若しくはトルマリン等の、髪へのダメージを抑えるように構成されている、バレルよりも熱伝導率が低い材料（例えば非熱伝導性材料）で囲まれた（例えばコーティングされているか若しくは巻き付けられた）アルミニウム、鉄、鋼、銀、あるいは他の１つ又は複数の金属等の熱伝導性金属材料から形成される。バレル１０２は、ユーザが所望する意図されるカールに基づいて種々の幅（例えば直径）に形成することができる。幾つかの実施形態では、バレル１０２の直径は、約０．３７５インチ（約０．９５２センチメートル）〜約２．５インチ（約６．４センチメートル）（例えば約０．５インチ（約１．３センチメートル）〜約１．５インチ（約３．８センチメートル））とすることができる。図示の例では、バレル１０２の直径は約０．７５インチ（約１．９センチメートル）である。
【００２６】
先端部（例えば断熱冷却先端部）１２２を、バレル１０２の露出した自由端に配置することができる。幾つかの実施形態では、バレルの自由端はハンドルとは反対側に配置される。冷却先端部１２２は、例えば、バレル１０２の端とユーザの頭との間に物理的な障壁を形成することによって、ユーザが被加熱バレル１０２によってやけどする可能性を低減することができる。図示のように、スタイリング装置の露出した自由端（例えばバレル及びスタイリング面の露出した自由端）には通常、髪を捕捉するハウジング又は包囲体がない。すなわち、バレルは通常は包囲されず、周囲環境に開放しているため、髪をヘアスタイリング面の周りにより容易に捕捉するとともに巻き付け、また、より容易に取り外すことができる。場合によっては、そのような包囲体又はハウジングは、ユーザが髪をスタイリング装置から容易に取り外すことを困難にする障害物となり得る。例えば、髪が包囲体の１つ又は複数の表面の周りに巻かれ、髪から取り外すことが難しくなる可能性がある。
【００２７】
回転部材１０６が、ハンドル１０４に隣接して概ねバレル１０２の端に（すなわちヘアスタイリング面の端に）取り付けられる。回転部材１０６はバレルのヘアスタイリング面に対して回転可能であり、また、ハンドル１０４及びバレル１０２は互いに連結可能であるため、通常はハンドル１０４に対しても回転可能である。ハンドル内（例えばモータ保持シャーシ内）には駆動モータ１０７（図５〜図９に示されている実施形態に、より具体的に示されている）を取り付けることができ、駆動モータ１０７は、回転部材１０６をハンドル１０４及びバレル１０２に対して回転させるように構成されている。駆動モータ１０７は通常、電気モータ（例えばＡＣ又はＤＣ電気モータ）である。回転可能な電源コード（例えば旋回電源コード）１２０、及び、モータを異なる（例えば反対）方向に回転させることができる方向スイッチ１１４、１１６を用いて、電気を駆動モータに提供することができる。電気回路（例えばプリント回路基板）１１７（同様に図５〜図９に示されている実施形態に示されている）を、ハンドル又は別の構成部材内に配置し、電気信号を種々のスイッチからモータ１０７及び加熱素子１０３に送ることができる。ハンドル１０４は概ね被加熱バレル１０２と一直線に形成される円筒形の部材であるものとして示されているが、他の構成も可能である。例えば、幾つかの実施形態では、ハンドルは、被加熱バレルに対して或る角度に（例えば実質的に垂直に）配置されるピストルグリップ状のハンドルとすることができる。
【００２８】
ヘアカール装置１００は、モータの回転を回転部材１０６の回転に変換する種々の駆動系構成部材（例えばギヤシステム又は伝動装置）のいずれかを含むことができる。（任意の駆動系構成部材を含む）駆動モータは、回転部材１０６を任意の種々の好適な速度で回転させるように構成することができる。例えば、駆動モータは、回転部材１０６を、約１０ｒｐｍ〜約３００ｒｐｍ（例えば約２０ｒｐｍ〜約１００ｒｐｍ、例えば約５０ｒｐｍ〜約１００ｒｐｍ）で回転させることができる。回転部材１０６がバレル１０２に対してより容易に回転することができるように、回転摩擦を低減及び制限するための軸受要素を回転部材１０６とバレル１０２又はハンドル１０４との間に配置することができる。
【００２９】
回転部材１０６は通常、バレル１０２に対して（例えばヘアスタイリング面の周りを）回転し、髪を受け入れ（例えば集め、つかみ、保持し、捕らえ、グリップし、拾い上げ又は別様に取り込み）、回転するにつれて髪を被加熱バレル１０２の周りに巻き付けてカールさせるように構成されている。図示のように、回転部材１０６は、髪をカールさせるために被加熱バレル１０２のスタイリング面の周りに巻き付けることができるよう、ユーザの髪（例えば１本又は複数本の髪）を受け入れるように構成されている１つ又は複数の髪保持要素１０８を含む。回転部材１０６は通常、その外周領域に周方向に分配されている複数の保持要素１０８を含む。幾つかの場合、複数の保持要素１０８を含むことは、ヘアカール装置が髪をより容易に保持してバレル１０２の周りにより均一な分布で巻き付けることに役立つ。
【００３０】
回転部材１０６及び保持要素１０８は通常、バレル（例えばバレルのヘアスタイリング面）から長手方向に離間し、ハンドル１０４に隣接してバレルの端に配置される。すなわち、ヘアスタイリング面は、回転部材１０６に対してヘアスタイリング装置の露出した自由端に位置決めすることができる。後述するとともに、図１０（Ａ）〜図１１（Ｂ）に示されているように、そのような構成は、回転部材がユーザの髪を集めて髪の自由端を被加熱バレル１０２の周りに巻き付けることができるように、ユーザがカール装置の自由端をユーザの頭に向けて配置することを可能にする。換言すると、髪は通常、回転部材を用いて集められ、ヘアスタイリング面の周りに、ヘアスタイリング面の自由端とは反対の端から巻き付けられる。
【００３１】
回転部材に沿って形成される保持要素は、１本又は複数本の髪を捕らえるか又は集めることが可能な種々のタイプの構成のうちの任意のものを含むことができる。例えば、保持要素は、フック、凹部（例えば半円形の穴若しくは他の窪み）、突起（例えばノブ、ピン、毛束、ボス）の１つ又は複数、又は、これら若しくは他の好適な要素の任意の好適な組み合わせを含むことができる。図１〜図４に示されているように、幾つかの例では、回転部材１０６は、回転部材１０６の外側（例えば外周）領域に周方向に形成される複数の凹部状保持要素１０８を含むことができる。凹部状保持要素は、ユーザの髪を好適に集めるように任意の種々の形状及びサイズで形成することができる。幾つかの実施形態では、保持要素は、少なくとも０．５ミリメートル（例えば約１ミリメートル〜約１０ミリメートル）の深さ又は幅（例えば直径）を有することができる。図示の例では、半円形の保持要素１０８は、約６ミリメートルの直径を有することができる。特に図４を参照すると、凹部状保持要素１０８は、それらの中心軸１０８Ａが回転部材の内側に配置されるように回転部材の外周領域内に形成することができ、この場合、凹部の少なくとも半分（例えば半円形の凹部の少なくとも半分）が回転部材に包含される。言い換えると、保持要素１０８は、凹部に向かって内方に延びて保持要素を部分的に包囲する回転部材の部分（例えば取り込み部分）１０８Ｂを含むことができる。取り込み部分１０８Ｂは、回転部材が回転した時に髪を保持要素内に保持するのを助ける。
【００３２】
幾つかの場合、保持要素１０８は、回転部材の周りにほぼ均等に分配される。幾つかの実施形態では、保持要素は、回転部材の外周領域に約５度〜約１０度毎に配置することができる。付加的に又は代替的に、幾つかの実施形態では、保持要素は、回転部材の外周領域に約０．１２５インチ（約０．３１７センチメートル）〜約０．７５インチ（約１．９センチメートル）毎に配置することができる。
【００３３】
保持要素は、バレルの直径よりも少なくとも２０パーセント大きい幅（例えば直径）ｗ１に配置することができる。例えば、保持要素は、約１インチ（約２．５センチメートル）〜約５インチ（約１３センチメートル）（例えば約２インチ（約５センチメートル）〜約３．５インチ（約９センチメートル））の直径ｗ１に、回転部材の外周領域に沿って配置することができる。幾つかの場合、保持要素が位置決めされる直径ｗ１は、バレルの直径よりも少なくとも約２０パーセント大きくすることができる。図示の例では、保持要素１０８によって画定される直径ｗ１は約２インチ（約５センチメートル）である。
【００３４】
図示のように、保持要素は通常、バレル１０２から間隔ｒ１だけ径方向に離間し、それにより、回転部材によって保持される髪が被加熱バレル１０２から概ね離間される。保持要素１０８をこのようにバレル１０２から径方向に離間させることは、髪が回転部材１０６によって最初につかまれたときに絡まる可能性を低減することに役立つ。幾つかの実施形態では、バレルのヘアスタイリング面と保持要素との間の径方向間隔ｒ１は０．１２５インチ（約０．３１７センチメートル）〜約２インチ（約５センチメートル）とすることができる。図示の例では、径方向間隔は約０．５インチ（約１．３センチメートル）である。
【００３５】
回転部材１０６は通常、被加熱バレル１０２のヘアスタイリング面に沿って概ね長手方向に延びる髪把持用タブ１１０も含むことができる。保持要素１０８が髪を捕らえてバレル１０２の周りで回転させる（例えば捩る、カールさせる、巻き付ける、螺旋状にする、又は別様に変位させる）と、把持用タブ１１０は、髪を更に捕らえてバレル１０２に対して方向付けるとともにバレル１０２の周りでガイドし、それによって、髪は、単に捩れるか又は絡まるのではなくバレルの周りで螺旋状になる。幾つかの実施形態では、タブ１１０は、ヘアスタイリング面上に約５ミリメートル〜約５０ミリメートル延びる長さを有することができる。タブ１１０は、髪がタブ１１０とバレル１０２との間に入り込む適切な余地を提供するようにヘアスタイリング面から約０．５ミリメートル〜約１０．０ミリメートルだけ離間することができる。
【００３６】
幾つかの場合、把持用タブ１１０は、髪をグリップしてバレル１０２の周りに巻き付けるために髪に対して付加的な摩擦を形成可能な材料からなる表面又はインサートを含むことができる。例えば、インサートは、把持用タブ１１０とバレル１０２のヘアスタイリング面との間で押圧される髪に対して摩擦力を発生させるように、タブとバレルとの間に配置されるシリコン又は１つ又は複数の他のフルオロエラストマーから形成されたインサートを含むことができる。付加的に又は代替的に、幾つかの実施形態では、インサートは、把持用タブに沿って形成されるコーティングの形態であるものとすることができる。タブ１１０と同様に、インサートは、髪がインサートとバレル１０２との間に入り込む適切な余地を提供するようにヘアスタイリング面から例えば約０．５ミリメートル〜約１０．０ミリメートルだけ離間することができる。
【００３７】
回転部材１０６は通常、保持要素１０８に保持させてバレル１０２の周りに巻き付けようとしている髪を沿わせることができる概ね円筒形の髪支持領域１２６を有する。図示のように、髪支持領域１２６は通常、回転部材１０６の他の部分に対してより長く、回転部材１０６がヘアカール装置１００に取り付けられた時にバレル１０２から離れた端に位置決めされる。幾つかの実施形態では、髪支持領域１２６の長さは、約５ミリメートル〜約７０ミリメートルとすることができる。しかし、他の配置構成も可能である。髪支持領域は、回転部材と一体的に形成することができるか、又は、幾つかの場合は、回転部材に接合される（例えば固定される）別個の構成部材として製造することができる。髪支持領域１２６は通常、髪が、バレル１０２の周りに巻き付けられる前に、過って回転部材１０６の周りに巻き付けられて絡まる可能性を低減する働きをする。
【００３８】
髪をバレルにクランプしてバレル自体を回転させるのではなく、回転部材１０６を用いて髪を相対的に静止した（すなわち非回転）バレル１０２の周りに巻き付ける態様を含む、このようなユーザの髪をバレル１０２の周りに巻き付けることは、結果として、使用時の髪の引っ掛かり、絡まり又は引っ張られることを抑えることができる。この改良された性能は、少なくとも一部には、髪が、どちらも髪をきつくクランプしない保持要素１０８及び把持用タブ１１０によって緩く引っ張られる結果である。換言すると、（髪をバレルにクランプしてバレルを回転させるのではなく）回転部材１０６が回転して髪をグリップするとともに回転させる（例えば捩る、カールさせる、巻き付ける、螺旋状にする、又は別様に変位させる）と、髪はバレル１０２の周りでガイドされ、螺旋状のカールに成形されるときに、髪を引っ張り不快感を与え得る可動部品ではなく静止バレルに対して締め付けられる。したがって、本明細書において記載される回転部材は通常、クラッチ又はセンサシステム等の付加的な保護構成部材の必要性を低減する（又は幾つかの実施形態ではなくす）ことができる。
【００３９】
髪を周りに巻き付けてカールさせることができる被加熱バレルの静止ヘアスタイリング面を有する別の例示的な自動ヘアスタイリング装置（例えばヘアカール装置）が図５〜図９に示されている。例えば、ヘアカール装置２００は、髪を保持して被加熱バレル１０２の周りに巻き付けることで髪をカールさせるように構成されている回転部材２０６を含むことができる。回転部材２０６は、上述した回転部材１０６と同様に、ユーザの１本又は複数本の髪に係合するように互いから離間している保持要素を含むことができる。上述したように、保持要素は、フック、凹部、突起（例えばノブ、ピン、毛束、ボス）の１つ又は複数、又は、これら若しくは他の好適な要素の任意の好適な組み合わせ等の、１本又は複数本の髪を捕らえることが可能な任意の種々のタイプの構成を含むことができる。図示の例に示されているように、回転部材２０６は、径方向外方に延びて回転部材２０６の周りに周方向に配置される複数のノブ状の突起２０８を含むことができる。
【００４０】
ノブ状の突起である保持要素は、ユーザの髪を好適に集めるように任意の種々のサイズで形成することができる。幾つかの実施形態では、突起である保持要素２０８は、回転部材２０６から径方向外方に約０．５ミリメートル〜約１０ミリメートルの高さｈを有することができる。幾つかの実施形態では、突起である保持要素２０８は、約１ミリメートル〜約３ミリメートル（例えば約１ミリメートル〜約２ミリメートル）の幅を有することができる。
【００４１】
幾つかの場合、保持要素２０８は、回転部材の周りに実質的に均等に分配される。隣接する保持要素２０８の間隔は、髪を入れて保持することができる凹部状領域を形成する。
回転部材２０６は、髪が回転部材２０６の周りに巻き付いて絡まることを制限するのに役立つ、バレル１０２から離れて位置決めされた髪支持領域２２６を含む。幾つかの実施形態では、髪支持領域２２６は、保持要素２０８に向かって幅（例えば直径）が増大するテーパ状部分を含むことができる。そのようなテーパ状部分は、髪を径方向外方に徐々に押し出すことができるため、髪は保持要素によってより容易に保持されることができる。
【００４２】
回転部材２０６は、髪把持用タブ１１０の内面に沿って配置される摩擦インサート（例えばシリコンインサート）２１１を含むことができる。上述したように、保持要素１０８が髪を捕らえてバレル１０２の周りで捩るときに、把持用タブ１１０は、髪をバレル１０２とより良く接触させるようにバレル１０２に対して押し当てることができる。摩擦インサート２１１は、髪をしっかりとクランプ又はグリップすることなくバレル１０２の周りに巻き付けるように摩擦を形成することができる。
【００４３】
先端部（例えば断熱冷却先端部）２２２を、バレル１０２の露出した自由端に配置することができる。図示のように、幾つかの場合、冷却先端部２２２の少なくとも一部は、ユーザがバレル１０２の側面を自身の手にうっかり載せてしまうことを防ぐよう、バレル１０２よりも大きい幅（例えば直径）を有する。より大きい直径の領域は、髪がバレルの端から滑り出ることを制限するストッパを提供することもできる。
【００４４】
図８及び図９に示されているように、ギヤシステム１０９Ａ又は伝動装置１０９Ｂ等の駆動系構成部材を用いて、モータ１０７の回転を回転部材２０６の回転に変換することができる。ヘアカール装置１００と同様に、カール装置２００の駆動モータ１０７は、回転部材２０６を約１０ｒｐｍ〜約３００ｒｐｍ（例えば約２０ｒｐｍ〜約１００、例えば約５０ｒｐｍ〜約１００ｒｐｍ）で回転させることができる。特に図８を参照すると、回転摩擦を低減及び制限するための軸受要素１２４を回転部材２０６とバレル１０２又はハンドル１０４との間に配置することができるため、回転部材２０６はバレル１０２に対してより容易に回転することができる。
【００４５】
ヘアカール装置２００は、バレル１０２の回転方向を変える方向スイッチ（例えばトグルスイッチ）２１５も含み、それによって、ユーザは異なる形状のカールを作ることができる。幾つかの例では、スイッチ２１５は、バレルの方向を左（例えば反時計回り）、停止、及び右（例えば時計回り）から変えることができる３ポジションロッカースイッチ等のロッカースイッチとすることができる。
【００４６】
別途明示的に記載又は説明されない限り、図５〜図９に示されているヘアカール装置は、ヘアカール装置１００の構成部材と類似の又は同じ構成部材を含むことができる。同様に、ヘアカール装置１００は、ヘアカール装置２００に関して説明した構成部材又は特徴を含むことができる。
【００４７】
上述したように、本明細書において概して記載されるようなヘアスタイリング装置（例えばヘアスタイリング装置１００又はヘアスタイリング装置２００）は、ユーザがスタイリング装置を自身の頭の近くに配置することを可能にすることができるため、回転部材は、ユーザの頭から髪を過って引っ張るリスクを制限しながら、髪の自由端を被加熱バレル上に上方に引き込むことによって髪を自動的に集めて巻き付け、カールを形成することができる。
【００４８】
図１０の（Ａ）〜（Ｃ）は、本明細書において記載されるヘアカール装置のうちの１つ（例えばヘアカール装置１００又はヘアカール装置２００）を用いて行うことができる、髪をカールさせる順序を示している。幾つかの例では、ユーザは、冷却先端部１２２を自身の頭に向けた状態でヘアカール装置を自身の髪に当てて配置することができる。図１０（Ａ）に示されているように、髪は、回転部材に沿って、特に保持要素内に落とし込まれる。上述したように、保持要素は通常、互いに離れて分配されており、髪をとかして絡まりを制限又は防止する。
【００４９】
例えばユーザがスイッチ１１４、１１５、１１６のうちの１つを押し、回転部材が概ね円筒形のバレルに対して回転し始めると、保持要素が、図１０（Ｂ）に示されているように、髪をバレルの周りに巻き付け始める。簡略化のために、図１０（Ｂ）及び図１０（Ｃ）には一房の髪のみを示す。髪がバレルの周りに巻き付けられると、把持用タブは髪をバレルに押し当てて保つことができる。図１０（Ｃ）を参照すると、髪にカールを形成するように、髪は加熱されながらバレルの周りに巻き付き続けることができる。ユーザは、髪を加熱しカールさせている間に回転部材を回転させ続けるか又は停止することができる。
【００５０】
一定時間が経過し、髪が加熱されると、ユーザはヘアカール装置を自身の髪から取り外すことができる。上述したように、髪は（例えばクランプを有するカールアイロンの場合のように）回転部材又はバレルによって直接的につかまれるか、挟まれるか又は保持されることがないため、ユーザは通常、単にヘアカール装置を自身の頭から引き離せばよい。引き離されると、髪は通常、バレルから緩められ、保持要素をすり抜けることができる。
【００５１】
別の例では、図１１（Ａ）を参照すると、ユーザは、上述したヘアカール装置１００、２００等のヘアスタイリング装置の（例えば被加熱バレルによって画定される）ヘアスタイリング面の自由端を、ユーザの頭に近接して（例えばユーザの頭に又はユーザの頭付近に）位置決めすることができる。幾つかの実施形態では、ヘアカール装置（すなわち、ヘアスタイリング面の長手方向軸）を、ユーザの頭の隣に実質的に鉛直に位置決めすることができる。図示のように、髪は、ヘアスタイリング装置の回転部材内に保持される（例えば集められる）。例えば、髪は回転部材の保持要素１０８によって集められる。図示のように、髪は、スタイリング装置の自由端とは反対の、ヘアスタイリング面の端に保持することができる。
【００５２】
髪は次に、加熱されたヘアスタイリング面の周りに巻き付けられる。例えば、図１１（Ｂ）を参照すると、回転部材は、ユーザからの入力に基づいてヘアスタイリング面に対して回転するように駆動される。幾つかの実施形態では、回転部材は、ユーザがハンドルの方向ボタンを押すことに応じて駆動されてもよい。図示のように、ユーザの頭に近接している（例えば最も近い）髪の部分５０Ａを、ヘアスタイリング面の周りに最初に巻き付け、髪がヘアスタイリング面の周りに巻き付けられるにつれて、髪の自由端（例えば自由な長さ又は自由端領域）５０Ｂの長さが減少する。すなわち、髪を巻き付けるときに、頭に最も近い部分を最初にバレルの周りに巻き付けることができ、回転部材が回転して髪を保持要素内にガイドするにつれて、自由な長さ（例えばスタイリング装置に入っていない髪の量）５０Ｂをスタイリング面に引き込むことができる。
【００５３】
幾つかの場合、回転部材が回転すると、付加的な髪を回転部材の保持要素によって自動的に集めて保持することができる。髪が加熱されたヘアスタイリング面の周りに巻き付けられると、髪にカールを与えることができる。回転部材が回転すると、回転部材から延びるタブを用いて、スタイリング面の、自由端とは反対の端において、髪の幾らか又は全てをヘアスタイリング面に対して押圧することができる。
【００５４】
図示のように、髪がヘアスタイリング面の周りに巻き付けられると、髪の自由端領域を、回転部材の１つ又は複数の領域（例えば保持要素）を通して、ヘアスタイリング面上に引き込むことができる。
【００５５】
幾つかの実施形態では、回転部材は、髪が完全に巻き付けられた後も引き続きバレルを中心として回転することができる。幾つかの場合、回転部材は、ユーザがハンドルの方向ボタンを解放する（又は停止ボタンを押す）まで回転し続けることができる。
【００５６】
一定時間が経過し、髪が加熱されると、ユーザはヘアカール装置を自身の髪から取り外すことができる。上述したように、髪は（例えばクランプを有するカールアイロンの場合のように）回転部材若しくはバレルによって直接的につかまれるか、挟まれるか若しくは保持されることがなく、又は、髪を捕捉するハウジング若しくは包囲体によって包囲されていないため、ユーザは通常、単にヘアカール装置を自身の頭から引き離せばよい。引き離されると、髪は通常、バレルから緩められ、保持要素をすり抜けることができる。
【００５７】
本明細書において記載されるシステム及び方法を、その例示的な実施形態を参照して上記で具体的に示し説明したが、本開示によって記載及び規定されるシステム及び方法の主旨及び範囲から逸脱することなく、形態及び細部の種々の変更が可能であることが理解されるであろう。したがって、他の実施形態が本開示及び添付の特許請求の範囲の範囲内にある。
【図１】
0005913448.tif 000002
【図２】
0005913448.tif 000003
【図３】
0005913448.tif 000004
【図４】
0005913448.tif 000005
【図５】
0005913448.tif 000006
【図６】
0005913448.tif 000007
【図７】
0005913448.tif 000008
【図８】
0005913448.tif 000009
【図９】
0005913448.tif 000010
【図１０】
0005913448.tif 000011
【図１１】
0005913448.tif 000012